(57)【要約】      （修正有）【課題】構成する物品全体に透光性を持たせて発光させるようにしたとしても、導通のための配線を目立たせなくすることのできる導光板システムを提供する。【解決手段】導光板システム１０は、発光部を有する光源１２と、透光性を有する第１導光板１４と、第１導光板１４の主面に設けられた凹部１４ｃに小端１６ｂを嵌入させた透光性を有する第２導光板１６と、を備え、第１導光板１４は、水平方向に対して主面が角度を持つように配置され、光源１２は、第１導光板１４の下端側に位置する小口（短辺方向端部）に配置されている。【選択図】図２
0003229396.tif 000002
【実用新案登録請求の範囲】
【請求項１】
発光部を有する光源と、
透光性を有する第１導光板と、
前記第１導光板の主面に設けられた凹部に小端を嵌入させた透光性を有する第２導光板と、を備え、
前記第１導光板は、水平方向に対して主面が角度を持つように配置され、前記光源は、前記第１導光板の下端側に位置する小口に配置されていることを特徴とする導光板システム。
【請求項２】
前記第１導光板の主面に乱反射部を設けたことを特徴とする請求項１に記載の導光板システム。
【請求項３】
前記第２導光板は、前記第１導光板に対して複数配置され、上部に位置する前記第２導光板ほど、前記第１導光板に対する嵌入深さが深いことを特徴とする請求項１または２に記載の導光板システム。
【請求項４】
前記第２導光板は、前記第１導光板に対する嵌入部位に、第２導光板内に光を誘導するための反射部材を配置したことを特徴とする請求項１乃至３のいずれか１項に記載の導光板システム。
【請求項５】
前記第２導光板の下面に位置する主面に乱反射部を設けたことを特徴とする請求項１乃至４のいずれか１項に記載の導光板システム。
【請求項６】
前記第２導光板システムの先端には、遮光部材を配置したことを特徴とする請求項１乃至５のいずれか１項に記載の導光板システム。
【考案の詳細な説明】
【技術分野】
【０００１】
本考案は、導光板システムに係り、特にＬＥＤ照明を光源として利用する場合に好適な導光板システムに関する。
【背景技術】
【０００２】
導光板システムは主に、塗装合板や化粧板などにより構成される事が多い家具や棚などの意匠性を高めるための技術として用いる事が知られており、例えば特許文献１や２に開示されているようなものが知られている。
【０００３】
特許文献１に開示されているものは、収納棚やキャビネット等の棚板に適用するものであり、ガラスやアクリル板などの透明板の小口に光源を取り付けるというものである。このような構成とした導光板システムでは、光源を取り付けた小口以外の小口（端面）や、凹凸を設けた主面を発光させることが可能となる。
【０００４】
特許文献２に開示されているものも、収納棚等の棚板に適用するものであり、複数のＥＬ素子を平面上に配列し、これを透明な板で挟み込むという構成とされている。このような構成の導光板システムでは、ＥＬ素子の配置形態に合わせて、板面上の任意の箇所を発光させる事が可能となる。
【先行技術文献】
【特許文献】
【０００５】
【特許文献１】特開２００３−１５１３３７号公報
【特許文献２】特開２０１２−１１１４７号公報
【考案の概要】
【考案が解決しようとする課題】
【０００６】
上記特許文献１、２に開示されている導光板システムは、いずれも発光により意匠性の向上を図る事ができる。しかし、いずれの導光板システムも、棚板を構成する板自体に光源を仕込む構成とされている。このため、棚板を指示する部材に配線を通す必要が生じる。このため、棚やキャビネット全体を透明とした場合には、導通のための配線が目立ち、美観を損ねる場合がある。
【０００７】
そこで本考案では、構成する物品全体に透光性を持たせて発光させるようにしたとしても、導通のための配線を目立たせなくすることのできる導光板システムを提供することを目的とする。
【課題を解決するための手段】
【０００８】
上記目的を達成するための本考案に係る導光板システムは、発光部を有する光源と、透光性を有する第１導光板と、前記第１導光板の主面に設けられた凹部に小端を嵌入させた透光性を有する第２導光板と、を備え、前記第１導光板は、水平方向に対して主面が角度を持つように配置され、前記光源は、前記第１導光板の下端側に位置する小口に配置されていることを特徴とする。
【０００９】
また、上記のような特徴を有する導光板システムでは、前記第１導光板の主面に乱反射部を設けた（例えば罫書き処理を施した）ことを特徴とする。このような特徴を有する事によれば、表面に罫書いた多数の線で光を乱反射させて、その部分を発光させることができる。
【００１０】
また、上記のような特徴を有する導光板システムにおいて前記第２導光板は、前記第１導光板に対して複数配置され、上部に位置する前記第２導光板ほど、前記第１導光板に対する嵌入深さが深いことを特徴とする。このような特徴を有する事によれば、上部に位置する第２導光板にも光を誘導することができる。
【００１１】
また、上記のような特徴を有する導光板システムにおいて前記第２導光板は、前記第１導光板に対する嵌入部位に、第２導光板内に光を誘導するための反射部材を配置したことを特徴とする。このような特徴を有する事によれば、第２導光板に対して効率的に光を誘導することができる。
【００１２】
また、上記のような特徴を有する導光板システムでは、前記第２導光板の下面に位置する主面に乱反射部を設けた（例えば罫書き処理を施した）ことを特徴とする。このような特徴を有する事によれば、第２導光板の上面に位置する主面を平坦に保ったまま、第２導光板の主面を発光させることが可能となる。
【００１３】
さらに、上記のような特徴を有する導光板システムにおいて前記第２導光板の先端には、遮光部材を配置したことを特徴とする。このような特徴を有する事によれば、第２導光板の先端側に利用者が存在する場合に、利用者に強い光を当てないようにすることができる。
【考案の効果】
【００１４】
上記のような特徴を有する導光板システムによれば、構成する物品全体に透光性を持たせて発光させるようにしたとしても、導通のための配線を目立たせなくすることができる。
【図面の簡単な説明】
【００１５】
【図１】導光板システムを陳列棚として構成した場合の実施形態を示す斜視図である。
【図２】図１に示す形態の作用を説明するための概略断面を示す模式図である。
【図３】実施形態に係る第２導光板の構成と、その作用を説明するための図である。
【図４】導光板システム照明器具として構成する場合の形態を示す断面図である。
【考案を実施するための形態】
【００１６】
以下、本考案の導光板システムに係る実施の形態について、図面を参照して詳細に説明する。なお、以下に示す実施の形態は、本考案を実施する上での好適な形態の一部であり、その効果を奏する限りにおいて、構成上の形態の一部に変化を加えたとしても、本考案の一部とみなすことができる。
【００１７】
［構成］
なお、図面において、図１は、実施形態に係る導光板システムの斜視図であり、図２は、同形態の作用を説明するための概略断面を示す模式図である。本実施形態に係る導光板システム１０は、光源１２と、第１導光板１４、及び第２導光板１６を基本として構成されている。また、図１、２に示す形態は、店舗などにおいて商品を展示する陳列棚の形態を例に挙げている。本実施形態に係る導光板システム１０は、２つの光源１２、並びに第１導光板１４と、３つの第２導光板１６、及び第１導光板１４の小端（長辺方向端部）１４ｂと第２導光板１６の小口（短辺方向端部）１６ａを覆う側板１８から成る。
【００１８】
光源１２は、実施形態に係る導光板システム１０の発光機能を担う要素である。その機能を発揮する限りにおいて、具体的な構成を問うものでは無いが、例えばＬＥＤ（Light Emitting Diode）ライン照明などを採用すると良い。具体的には、テープ状基板等の薄型基板上にＬＥＤチップを複数、列を成すように配置した照明器具である。ＬＥＤ照明は、消費電力が低く、光量の調節や点灯、点滅などの制御が容易であるという利点がある。また、採用されているＬＥＤチップと制御基板によっては、シチュエーションに応じた発光色の変更などを行う事も可能となる。
【００１９】
第１導光板１４は、光源１２が装着され、導光板システム１０の基部となる導光板である。本実施形態に係る第１導光板１４は、アクリルやガラスなどの透光性を有する部材により構成され、矩形板状を成す。第１導光板１４は、主面が垂直方向に沿うように、配置され、下端に位置する小口１４ａに光源１２が装着される。小口１４ａに対する光源１２の装着は、光源１２の発光面が小口１４ａ側を向くように成されていれば良く、望ましくは、小口１４ａが光源１２における発光面の全面を覆うような構成とすると良い。このような構成とすることにより、光源１２より生じた光が全て、第１導光板１４の内部に導かれることとなる。
【００２０】
なお、第１導光板１４の配置角度は必ずしも垂直（鉛直）方向とする必要性は無く、少なくとも水平方向に対して角度を持って配置されていれば良い。また、本実施形態における透光性とは、少なくとも光を透過させることができれば良く、必ずしも透明でなくとも良い。
【００２１】
第１導光板１４の主面には、詳細を後述する第２導光板１６を嵌入させるための凹部１４ｃが形成されている。図２に示す形態では、凹部１４ｃを２つ形成しており、上部側、すなわち光源１２から離れた位置に形成する凹部１４ｃの方が深さが深くなるように形成している。光源１２から第１導光板１４の板面に沿って発せられる光は、凹部１４ｃに到達することで外部に放射され、凹部１４ｃの後方側へ到達しづらくなる。このため、凹部１４ｃの形成深さを変え、光源１２から離れた位置に備えられる凹部１４ｃほど深さを深くすることで、光源１２からの光を到達しやすくすることができる。
【００２２】
また、第１導光板１４の主面に、図１に示すような任意の文字（図１に示す例ではＡ）を刻むように微小な凹凸や罫書き処理、切れ込みを入れるなどして、乱反射部１４ｄを形成することで、文字を構成する乱反射部１４ｄを発光させることができる。
【００２３】
第２導光板１６は、第１導光板１４の板面（主面）に対して交差する方向に板面（主面）を備える板材であり、実施形態に係る例では、陳列棚の棚板を構成することとなる。なお、第２導光板１６も、第１導光板１４と同様に、透光性を有する部材により構成されている。
【００２４】
第２導光板１６は、その一端を構成する小端１６ｂを第１導光板１４に形成した凹部１４ｃに嵌入させ、主面が水平となるように配置されている。このような配置形態とすることで、光源１２からの光を第１導光板１４から第２導光板１６へ導きやすくすることができる。また、第２導光板１６は、第１導光板１４に形成された凹部１４ｃへ嵌入される部位に、光を反射する反射材１６ｃを配置する構成としている。反射材１６ｃの配置は、凹部１４ｃに嵌入される小端１６ｂと、この小端１６ｂに隣接する上部主面側端部としている。このような構成とすることで、第２導光板１６への光の誘導を効率良く行うことが可能となる。
【００２５】
ここで、最下部に配置される第２導光板１６のように、第２導光板１６自体に光源１２を配置したとしても、導通のための配線が美観に影響を与えないような場合には、第２導光板１６に対して単独で光源１２を設けるようにしても良い。このような構成とした場合でも、課題を解決することが可能となると共に、特定の導光板（図１、図２に示す例では最下部に配置される第２導光板１６）について、個別に発光色や発光度合いを調整する事が可能となる。
【００２６】
また、本実施形態に係る第２導光板１６では図３に一例を示すように、配置状態において下面側となる主面に乱反射部１６ｄを設けている。第２導光板１６の主面に乱反射部１６ｄを設ける事により、第２導光板１６に誘導された光が微小な凹凸や罫書き処理、切れ込みなどにより構成される乱反射部１６ｄで散光することとなり、その端部を発光させることができる。よって、第２導光板１６の主面を発光させることができる。なお、下面側となる主面に乱反射部１６ｄを設ける構成とすることで、第２導光板１６の上面側となる主面には、平坦面を維持させることができる。
【００２７】
また、本実施形態に係る第２導光板１６は、先端側端部に遮光部材１６ｅを備える構成としている。このような構成とすることにより、第２導光板１６の先端部から強い光が発せられることを抑えることができる。これにより、展示商品を見るために導光板システム（陳列棚）１０の前に立った利用者に強い光が当たる事を防ぐことができる。
【００２８】
なお、側板１８は、第１導光板１４や第２導光板１６と同様に、透光性を有する導光板により構成しても良いが、通常の板材により構成しても良い。透光性を有する部材により側板１８を構成した場合には、側板も発光させることが可能となる。
【００２９】
［作用］
上記のような構成の導光板システム１０によれば、光源１２から発せられた光は、第１導光板１４の小口１４ａから第１導光板１４の内部に誘導される。第１導光板１４の内部に誘導された光は、凹凸を構成する凹部１４ｃを介して第２導光板１６に導入され、第２導光板１６の板面に沿って誘導される。第２導光板１６内に誘導された光は、第２導光板１６の主面に形成された乱反射部１６ｄにより乱反射を生じさせ、第２導光板１６の板面を発光させる。
【００３０】
また、第１導光板１４に文字を刻むように乱反射部１４ｄが形成されている場合には、当該乱反射部１４ｄにおいて光の乱反射を生じさせ、文字を発光させることとなる。
【００３１】
［効果］
このような構成の導光板システム１０によれば、構成する物品全体に透光性を持たせ、任意の板部材を発光させるように構成することができる。また、板部材を発光させるための光源１２は、第１導光板１４の下端に位置する小口１４ａに設けられるため、導通のための配線を目立たなくすることができる。
【産業上の利用可能性】
【００３２】
上記実施形態では、導光板システム１０を構成する形態の一例として陳列棚としての構成を挙げて説明した。しかしながら、本発明に係る導光板システム１０は、少なくとも光源１２と、第１導光板１４、及び第２導光板１６を備え、第１導光板１４の下端部に備えられた光源１２の光を第２導光板１６に誘導して発光させる構成であれば、具体的な形態を限定するものでは無い。
【００３３】
例えば図４に示すような照明器具であっても良い。図４に示す導光板システム１０Ａは、第１導光板１４を筒型（図４に示す例では、断面形状を矩形とした筒型）に形成し、その下端に位置する端部（小口１４ａ）に光源１２を配置している。また、図４に示す例では、筒型の外側に位置する第１導光板１４の主面と、内側に位置する主面の双方に凹部１４ｃを設けるようにしている。
【００３４】
第１導光板１４の主面に形成する凹部１４ｃは、内側主面に形成する凹部１４ｃのように、第１導光板１４の主面に直交するものであっても、外側主面に形成する凹部１４ｃのように、主面に対して傾斜するように設けるものであっても良い。内側主面に設けた凹部１４ｃに配置する第２導光板１６は、上記実施形態に係る第２導光板１６と同様に水平配置されることとなる。一方、外側主面に形成された凹部１４ｃに配置される第２導光板１６は、板面が傾斜し、照明器具の“傘”の体を成すように構成することができる。
【００３５】
このような構成の導光板システム１０Ａでは、第１導光板１４や第２導光板１６の主面であって、発光させたい部位に凹凸を形成することにより、所望する発光状態を創出することが可能となる。
【符号の説明】
【００３６】
１０，１０Ａ………導光板システム、１２………光源、１４………第１導光板、１４ａ………小口、１４ｂ………小端、１４ｃ………凹部、１４ｄ………乱反射部、１６………第２導光板、１６ａ………小口、１６ｂ………小端、１６ｃ………反射材、１６ｄ………乱反射部、１６ｅ………遮光部材、１８………側板。
【図１】
0003229396.tif 000003
【図２】
0003229396.tif 000004
【図３】
0003229396.tif 000005
【図４】
0003229396.tif 000006
【手続補正書】
【提出日】令和2年9月8日(2020.9.8)
【手続補正１】
【補正対象書類名】実用新案登録請求の範囲
【補正対象項目名】全文
【補正方法】変更
【補正の内容】
【実用新案登録請求の範囲】
【請求項１】
発光部を有する光源と、
透光性を有する第１導光板と、
前記第１導光板の主面に設けられた凹部に小端を嵌入させた透光性を有する第２導光板と、を備え、
前記第１導光板は、水平方向に対して主面が角度を持つように配置され、前記光源は、前記第１導光板の下端側に位置する小口に配置されていることを特徴とする導光板システム。
【請求項２】
前記第１導光板の主面に乱反射部を設けたことを特徴とする請求項１に記載の導光板システム。
【請求項３】
前記第２導光板は、前記第１導光板に対して複数配置され、上部に位置する前記第２導光板ほど、前記第１導光板に対する嵌入深さが深いことを特徴とする請求項１または２に記載の導光板システム。
【請求項４】
前記第２導光板は、前記第１導光板に対する嵌入部位に、第２導光板内に光を誘導するための反射部材を配置したことを特徴とする請求項１乃至３のいずれか１項に記載の導光板システム。
【請求項５】
前記第２導光板の下面に位置する主面に乱反射部を設けたことを特徴とする請求項１乃至４のいずれか１項に記載の導光板システム。
【請求項６】
前記第２導光板の先端には、遮光部材を配置したことを特徴とする請求項１乃至５のいずれか１項に記載の導光板システム。